(57)【要約】【課題】  周囲の湿気により固まる性質を有する湿気硬化型組成物の使用後の保管における湿気硬化型組成物の硬化を抑制することを目的とする閉鎖型チューブのキャップ接合構造を提供する。【解決手段】  本発明の閉鎖型チューブのキャップ接合構造は、湿気硬化型組成物Ｂを充填した収容部１と、湿気硬化型組成物Ｂを外部へ吐出する吐出口２ａを先端側に有するノズル部２と、吐出口２ａの外周を覆うようにノズル部２に接合されるキャップ３とを有し、キャップ３のノズル部２への接合時にノズル部２の吐出口２ａの蓋をする封鎖蓋４ａと、この封鎖蓋４ａに一体形成されてキャップ３を自由貫通移動するガイドピン４ｂとを有する吐出口封鎖栓４を備えるものである。【選択図】図１
2020196530.tif 000002
【特許請求の範囲】
【請求項１】
湿気硬化型組成物を充填した収容部と、前記湿気硬化型組成物を外部へ吐出する吐出口を先端側に有するノズル部と、前記吐出口の外周を覆うように前記ノズル部に接合されるキャップとを有する閉鎖型チューブであって、
前記キャップの前記ノズル部への接合時に前記ノズル部の前記吐出口の蓋をする封鎖蓋と、この封鎖蓋に一体形成されて前記キャップを自由貫通移動するガイドピンとを有する吐出口封鎖栓を前記キャップに装着したことを特徴とする閉鎖型チューブのキャップ接合構造。
【請求項２】
前記封鎖蓋は平板状で、かつ、前記キャップの内部形状に近似する形状であることを特徴とする請求項１に記載した閉鎖型チューブのキャップ接合構造。
【発明の詳細な説明】
【技術分野】
【０００１】  本発明は、周囲の湿気により固まる性質を有する接着剤、薬剤、シール剤等の湿気硬化型組成物（以下、「組成物」という。）を収容する閉鎖型チューブ（以下、「チューブ」という。）の使用後の保管における前記組成物の硬化を抑制することができるキャップ接合構造に関するものである。
【背景技術】
【０００２】  斯かるキャップ接合構造としては、特許文献１で開示されているように、アルミ、スズ、鉛等の金属や湿気不透過層（アルミ箔等）を含むラミネートフィルム等からなる略筒状のチューブ状収容部の先端に形成された前記組成物の吐出口を有するノズル部に着脱自在に接合（螺合）されるキャップを組み合わせた構造が一般的に知られ、実用化されている。【０００３】  前記チューブにおいては、周囲の湿気の浸入によって使用前に前記組成物が硬化する不都合を回避するために使用前の状態では前記ノズル部の前記吐出口を閉鎖しておき、使用時には前記吐出口を開口し前記収容部に充填されている前記組成物を吐出させて使用し、使用後は液漏れ及び周囲の湿気による前記組成物の硬化を防止するため前記吐出口を閉塞する前記キャップが前記ノズル部に接合され、再使用する場合には前記キャップを取り外して使用するものであり、この種のチューブは一般的に閉鎖型チューブと称されている。
【先行技術文献】
【特許文献】
【０００４】
【特許文献１】特開２０１０−２４７８６０号公報
【特許文献２】特開平９−２７２５５１号公報
【発明の概要】
【発明が解決しようとする課題】
【０００５】  このように、繰り返し前記組成物を使用可能とする構造が採用されているにも関わらず、ある程度の時間が経過した後の使用においては、前記組成物が硬化してしまい再使用が不能となる問題が生じていた。【０００６】  本発明者の観察によれば、前記不能となる主たる原因は、（１）前記吐出口と前記キャップとの間に少量ながら使用後の前記組成物が留まり、これが周囲の湿気に反応して硬化し、吐出とキャップ内壁部が固着し、キャップが開閉不能になり、（２）前記吐出口と前記キャップとの間に少量ながら使用後の前記組成物が留まり、これが周囲の湿気に反応して硬化し、その状態で開閉した場合、硬化した組成物が障害となり、密封状態が確保されず、その後に前記収容部に充填されている前記組成物が徐々に硬化し、（３）前記１又は２の状態となることを避けるため吐出部から組成物がはみ出ないようキャップを閉めたとき、吐出部内にわずかに混入する空気の湿気により、その後に前記収容部に充填されている前記組成物が徐々に硬化し、前記１〜３のいずれかの状態になることで、使用不能になることを突き止めた。【０００７】  すなわち、前記キャップを閉める際、前記吐出口に空気が入ることにより、前記収容部に充填されている前記組成物が硬化してしまい前記キャップが完全に閉まらなくなる問題と、この問題に起因して前記キャップ内側で前記組成物が硬化することにより、前記キャップが完全に閉まらず前記吐出口と前記キャップとの密封性が確保できなくなり前記収容部に充填されている前記組成物が硬化する問題があった。【０００８】  なお、特許文献２には、キャップ１８，１８ａ，５４，８４の内側に棒状のヒートン２６，９２を設け、このヒートン２６，９２が吐出通路１２，５０，８０の内部に侵入することにより、キャップ１８，１８ａ，５４，８４と吐出通路１２，５０，８０との密封性を確保する構造が開示されているが、ヒートン２６，９２を吐出通路１２，５０，８０へ挿入すると吐出通路１２，５０，８０に残留している組成物Ａがキャップ１８，１８ａ，５４，８４側へ漏出し、前述した前記キャップ内側で前記組成物が硬化する問題が生じる。【０００９】  前記特許文献２において、前記問題を解決する方法としては、吐出通路１２，５０，８０に残っている組成物Ａがキャップ１８，１８ａ，５４，８４の内側へ露出させないようにするために、キャップ１８，１８ａ，５４，８４を閉める際に吐出通路１２，５０，８０へ空気を送り組成物Ａを吐出通路１２，５０，８０の下方へ押し戻す構成を取るしかないが、この場合には、吐出通路１２，５０，８０内部において組成物Ａが前記空気中の湿気に反応して硬化してしまうという問題が生じる。【００１０】  本発明は、このような従来例が有していた課題を解決しようとするものであり、周囲の湿気により固まる性質を有する前記組成物の使用後の保管における前記組成物の硬化を抑制することを目的とする。
【課題を解決するための手段】
【００１１】  本発明の閉鎖型チューブのキャップ接合構造は、湿気硬化型組成物を充填した収容部と、前記湿気硬化型組成物を外部へ吐出する吐出口を先端側に有するノズル部と、前記吐出口の外周を覆うように前記ノズル部に接合されるキャップとを有する閉鎖型チューブであって、前記キャップの前記ノズル部への接合時に前記ノズル部の前記吐出口の蓋をする封鎖蓋と、この封鎖蓋に一体形成されて前記キャップを自由貫通移動するガイドピンとを有する吐出口封鎖栓を前記キャップに装着したことを特徴とするものである。【００１２】  特に、本発明の閉鎖型チューブのキャップ接合構造は、前記封鎖蓋は平板状で、かつ、前記キャップの内部形状に近似する形状であることを特徴とするものである。
【発明の効果】
【００１３】  本発明によれば、前記吐出口と前記キャップとの間に使用後の前記組成物が留まる量を極めて少なくすることができることから周囲の湿気に触れる量を抑えられるので、前記収容部に充填された前記組成物の硬化進度が遅くなり、長時間の保管によっても前記組成物の硬化を抑制することができる。【００１４】  また、前記封鎖蓋は平板状で、かつ、前記キャップの内部形状に近似する形状とすることにより、前記吐出口から前記組成物が多少はみ出しても前記封鎖蓋の領域外へ延在しなければ前記キャップの内部に触れることはなく、最も効果的に前記組成物の前記はみ出しを抑えることができる。
【図面の簡単な説明】
【００１５】
【図１】  本発明の実施形態を示す要部断面図である。
【図２】  同上の形態変化を説明する使用状態説明図である。
【発明を実施するための形態】
【００１６】  以下、本発明の実施形態について、添付図面に従い、前記組成物として接着剤を充填した前記チューブの例を示す。
【００１７】  図１（ａ）は、前記組成物の使用時、同（ｂ）は同非使用時を示しており、チューブ（閉鎖型チューブ）Ａは、従来技術と同様な材料及び構成であり、収容部１とノズル部２とを有しており、ノズル部２の先端側には収容部１に充填された接着剤（湿気硬化型組成物）Ｂを外部へ吐出する吐出口２ａを有すると共に外周面には雄ネジ２ｂを有している。
【００１８】  キャップ３は、ノズル部２の吐出口２ａの外周を覆う形状で、先端が天蓋３ａで覆われていると共に内周面にはノズル部２の雄ネジ２ｂと接合（螺合）する雌ネジ３ｂを有している。
【００１９】  ４は、キャップ３に装着した本発明に係る吐出口封鎖栓であり、ノズル部２の先端に当接されて吐出口２ａの蓋をする平板状の封鎖蓋４ａと、この封鎖蓋４ａの平面中央個所に貫通状態で一体立設形成されて一端がノズル部２の内部へ挿入されと共に他端がキャップ３の天蓋３ａを自由貫通移動するガイドピン４ｂと、このガイドピン４ｂとは反対方向の他端にはノズル部２の吐出口２ａ及び吐出口封鎖栓４の封鎖蓋４ａの中心を合わせて封鎖蓋４ａが略均等な圧力で吐出口２ａを封止するための位置合わせ突起４ｃを有している。
【００２０】  次に、具体的な使用方法について図２を加えて説明すると、接着剤Ｂの使用後（非使用時）は、収容部１の周囲を圧迫してノズル２の吐出口２ａの先端に空気が残らないようにする（図２（ａ）参照）。
【００２１】  次に、吐出口封鎖栓４のガイドピン４ｂの前記他端を押して吐出口封鎖栓４をキャップ３から露出させて位置合わせ突起４ｃを吐出口２ａと位置を合わせて前記他端をノズル２側へ押すことにより封鎖蓋栓４の封鎖蓋４ａの先端をノズル部２の吐出口２ａの先端に密着させる（図２（ｂ）参照）。
【００２２】  この際、吐出口２ａから接着剤Ｂが多少はみ出しても封鎖蓋４ａの領域外へ延在しなければキャップ３の内部に触れることはなく本発明の効果を損なうような問題は生じないものであり、封鎖蓋４ａを平板状で、かつ、キャップ３の内部形状（円形）に近似する形状（円形）とすることにより、最も効果的に接着剤Ｂの前記はみ出しを抑えることができる。
【００２３】  そして、キャップ３をノズル部２側へ回転移動させる（図２（ｃ）参照）。
【００２４】  これにより、ノズル部２にキャップ３を固定すると、キャップ３のノズル部２への接合時に封鎖蓋４ａが吐出口２ａに当接して封鎖蓋４ａがノズル部２の吐出口２ａの蓋をする（図２（ｄ）参照）。
【００２５】  本発明によれば、吐出口２ａとキャップ３との間に使用後の接着剤Ｂが留まる量を極めて少なくすることができることから周囲の湿気に触れる量を抑えられるので、収容部１に充填された接着剤Ｂの硬化進度が遅くなり、長時間の保管によっても接着剤Ｂの硬化を抑制することができる。
【００２６】  また、封鎖蓋４ａは平板状で、かつ、キャップ３の内部形状に近似する形状とすることにより、吐出口２ａから接着剤Ｂが多少はみ出しても封鎖蓋４ａの領域外へ延在しなければキャップ３の内部に触れることはなく、最も効果的に接着剤Ｂの前記はみ出しを抑えることができる。
【符号の説明】
【００２７】  Ａ  チューブ（閉鎖型チューブ）
１  収容部
２  ノズル部
２ａ  吐出口
２ｂ  雄ネジ
３  キャップ
３ａ  天蓋
３ｂ  雌ネジ
４  吐出口封鎖栓
４ａ  封鎖蓋
４ｂ  ガイドピン
４ｃ  位置合わせ突起
Ｂ  接着剤（湿気硬化型組成物）
【図１】
2020196530.tif 000003
【図２】
2020196530.tif 000004